(57)【要約】【課題】本発明の課題は、チェンカバーの少なくともフィードチェン駆動スプロケットに対応する外側方を下方に開放することで、フィードチェンによって持ち運ばれる藁屑などを外側下方に排出し、詰りや巻き付きを防止し、長時間の連続作業を可能にし、メンテナンスの容易化を図ることを目的とする。【解決手段】 本発明は、エンジンから脱穀装置の脱穀フィードチェン（１１）を駆動する入力部を設け、脱穀フィードチェンをカバーするチェンカバー（２８）を設けたコンバインにおいて、前記チェンカバー（２８）には、脱穀フィードチェン（１１）を駆動する駆動スプロケット（１２）からの藁屑を外側下方に排出する開放部（２９）を設ける。【選択図】 図５
2017042107.tif 000002
【特許請求の範囲】
【請求項１】
エンジンから脱穀装置の脱穀フィードチェン（１１）を駆動する入力部を設け、前記脱穀フィードチェンをカバーするチェンカバー（２８）を設けたコンバインにおいて、
前記チェンカバー（２８）には、前記脱穀フィードチェン（１１）を駆動する駆動スプロケット（１２）周辺の藁屑を下方に排出する開放部（２９）を設けてあることを特徴とするコンバイン。
【請求項２】
前記チェンカバー（２８）は、前記駆動スプロケット（１２）の外側に対応する部位に外方へ膨出する膨出部（３０）を設け、その膨出部の下方は下方に開放してある請求項１記載のコンバイン。
【請求項３】
前記膨出部（３０）は、下面に外側方下方に向けて傾斜する下り傾斜面（３１）を設け、下端部を開放した構成としてある請求項１又は請求項２記載のコンバイン。
【発明の詳細な説明】
【技術分野】
【０００１】
この発明は、刈り取った穀稈を、脱穀部で脱穀処理するコンバインに関する。
【背景技術】
【０００２】
従来、コンバインの伝動機構を簡素化して組み立てを容易にするために、エンジン回転を走行装置に伝動する伝動経路と、刈取装置及び脱穀装置に伝動する伝動経路に分岐して設ける伝動機構（特許文献１）、エンジン回転を走行装置及び刈取装置に伝動する伝動経路と、脱穀装置に伝動する伝動経路に分岐して設ける伝動機構（特許文献２）が提案されている。
【先行技術文献】
【特許文献】
【０００３】
【特許文献１】特開平５−１９９８１２号公報
【特許文献２】特開平１１−２５３０３９号公報
【発明の概要】
【発明が解決しようとする課題】
【０００４】
一般に、脱穀装置の脱穀フィードチェンには、外側を覆うチェンカバーが設けられている。
【０００５】
脱穀装置に伝動する伝動経路にあって、特に、前方に駆動入力部を持つ脱穀フィードチェンには、フィードチェンによって持ち運ばれる藁屑などがフィードチェン駆動スプロケット部に巻き付いたり、詰りを生じさせたりし、これを解消するために、チェンカバーをいちいち取り外さなければならない問題があった。
【０００６】
本発明の課題は、チェンカバーの少なくともフィードチェン駆動スプロケットに対応する外側方を下方に開放することで、フィードチェンによって持ち運ばれる藁屑などを外側下方に排出し、詰りや巻き付きを防止し、長時間の連続作業を可能にし、メンテナンスの容易化を図ることを目的とする。
【課題を解決するための手段】
【０００７】
この発明は、上記の如き課題を解決することを目的とするもので、次のような技術的手段を講じた。
【０００８】
すなわち、請求項１記載の発明は、エンジンから脱穀装置の脱穀フィードチェン（１１）を駆動する入力部を設け、前記脱穀フィードチェンをカバーするチェンカバー（２８）を設けたコンバインにおいて、前記チェンカバー（２８）には、前記脱穀フィードチェン（１１）を駆動する駆動スプロケット（１２）周辺の藁屑を下方に排出する開放部（２９）を設けてあることを特徴とするコンバインとする。
【０００９】
エンジンから回転駆動され、入力部から駆動スプロケット（１２）を介して脱穀フィードチェン（１１）が駆動される。
【００１０】
そして、脱穀フィードチェン（１１）によって持ち運ばれる団子状になった藁屑などがチェンケースの駆動スプロケット（１２）に対応する外側下方の開放部（２２）から排出されるため、藁屑の詰りや巻き付きを防止でき、長時間の連続作業が可能となり、メンテナンが容易に行える。
【００１１】
請求項２記載本発明は、前記チェンカバー（２８）は、前記駆動スプロケット（１２）の外側に対応する部位に外方へ膨出する膨出部（３０）を設け、その膨出部の下方は下方に開放してある請求項１記載のコンバインとする。
【００１２】
上記構成によると、持ち運ばれる藁屑などがチェンカバーの膨出部へ持ち運ばれてそのまま下方に落下排出される。
【００１３】
請求項３記載の発明は、前記膨出部（３０）は、下面に外側方下方に向けて傾斜する下り傾斜面（３１）を設け、下端部を開放した構成としてある請求項１又は請求項２記載のコンバインとする。
【００１４】
上記構成によると、膨出部（３０）の下面が外側方下方に向けて傾斜する下り傾斜面（３１）を有しているので、藁屑などは速やかに外側下方に案内落下されて排出される。
【発明の効果】
【００１５】
請求項１記載の発明によれば、脱穀フィードチェン（１１）によって持ち運ばれる藁屑などが駆動スプロケット（１２）に対応するチェンカバー（２８）の外側下方の開放部から排出されるため、団子状になった藁屑にあっても容易に排出して詰りや巻き付きを防止でき、長時間の連続作業が可能となり、メンテナンスの容易化を図ることができる。
【００１６】
請求項２記載の発明によれば、請求項１記載の発明による効果に加えて、藁屑などがチェンカバー（２８）の膨出部（３０）へ運ばれて下方に排出されるので、藁屑の詰りや巻き付きを確実に防止することができる。
【００１７】
請求項３記載の発明によれば、請求項１又は請求項２記載の発明による効果に加えて、膨出部（３０）の下面が外側方下方に向けて傾斜する下り傾斜面（３１）を有しているので、藁屑などは速やかに外側下方に案内落下されて排出されることになり、前述の効果がよりよく発揮できる。
【図面の簡単な説明】
【００１８】
【図１】コンバインの側面図
【図２】同上要部の側面図
【図３】脱穀フィードチェン部の要部の側面図
【図４】同上要部の正断面図
【図５】同上要部の正断面図
【図６】刈取部の要部の側面図
【図７】同上要部の側面図
【図８】同上要部の側面図
【図９】同上要部の側面図
【発明を実施するための形態】
【００１９】
この発明の実施例を図面に基づき説明する。
【００２０】
コンバインは、主として立毛穀稈を刈り取って搬送する走行クローラ２を具備した車体１前部の刈取部３と、刈取部３から搬送供給される穀稈を脱穀処理する車体後部の脱穀部４とからなる。刈取部の右側には操作ボックスや運転席５等の運転操作部が設置され、その後方には脱穀処理された穀物を一時的に貯留するグレンタンク６が搭載され、タンク内の穀物を機外に取り出す時には、昇降並びに左右旋回自在な排出オーガ７によって排出するようになっている。前記運転席５の下側にはコンバイン各部に動力を伝達するエンジンやエンジンを冷却する冷却ファンが装備されている。
【００２１】
刈取部は、刈取懸架台８に架設された刈取入力軸９を支点として刈取支持フレーム１０を介して上下動するようになっており、エンジンから刈取入力軸９を駆動し、また、脱穀入力軸から脱穀部４の脱穀フィードチェン１１の始端側に位置する駆動スプロケット１２を回転駆動するようになっている。
【００２２】
脱穀フィードチェン１１の上側には、挟持レール１３が備えられ、扱室の扱胴カバー１４に対してスプリング等の付勢手段１５によってフィードチェン１１側に付勢されている。
【００２３】
脱穀フィードチェン１１は、上側チェンレール１６の前後端部にそれぞれ回転自在に支持された張設輪１７ａ，１７ｂと、張設輪１７ａ，１７ｂの間に設けられた駆動スプロケット１２に巻回されて駆動される無端のチェンによって構成されている。
【００２４】
非作用側の脱穀ヒードチェン１１を上載する下側チェンレール１８は、駆動スプロケット１２にエンジンの回転を伝動するカウンタ軸１９の上方の前端から後上がり傾斜して後方に至っている。
【００２５】
下側チェンレール１８の前端部には、非作用側のフィードチェン１１を下側チェンレール１８の前端部よりも下方に設けられた駆動スプロケット１２誘導するガイド２０が着脱自在に取り付けられている。
【００２６】
下側チェンレール１８の下側には、レール連結プレート２１によって上側チェンレール１６と下側チェンレール１８を支持する支持フレーム２２が設けられている。すなわち、脱穀フィードチェン１１は支持フレーム２２によって支持されている。また、上側チェンレール１６と下側チェンレール１８に連結された連結プレート１３には、穀稈搬送中のフィードチェン１１から落下する藁屑が選別部の駆動部に落下することを防止するための藁屑ガイド板など取り付けられている。
【００２７】
支持フレーム２２は、フィードチェン用油圧式無断変速装置２４等との干渉を防止するために、側面視において、前端部からフィードチェン用油圧式無断変速装置２４の入力軸２４ａとギヤボックスの出入力軸２５間を後方に向かって延在した後、変速モータの前方で湾曲して上方に向かって延在している。そして、カウンタ軸１９の前方を上方に向かって延出した後、ガイド２０の下側から下側チェンレール１８の下側に沿って後上がりに傾斜している。
【００２８】
なお、前記フィードチェン用油圧式無断変速装置２４からは、チェン入力軸２７及びフィードチェン駆動スプロケット１２を介して脱穀フィードチェン１１を回転駆動するように連動構成している。従って、脱穀フィードチェン１１は、油圧式無断変速装置２４を利用することによってチェン速度を単独で任意に変速制御することができる。
【００２９】
前側の張設輪１７ａと駆動スプロケット１２の間には、テンションスプロケット２６が設けられている。
【００３０】
従って、脱穀フィードチェン１１は、駆動スプロケット１２から上方に向かって移動した後、テンションスプロケット２６に沿って移動して前側の張設輪１７ａに至り、前側の張設輪１７ａから上側チェンレール１６の上側を後側の張設輪１７ｂに向かって移動する。その後、脱穀フィードチェン１１は、後側の張設輪１７ｂから前方の下側チェンレール１８に向かって移動した後、下側チェンレール１８の後端から下側チェンレール１８の上側を前側のガイド２０に沿って移動して駆動スプロケット１２に至っている。
【００３１】
以上のように構成される脱穀フィードチェン１１には、図３に示すように、外側を覆うチェンカバー２８が設けられている。
【００３２】
そして、前記チェンカバー２８には、脱穀フィードチェン１１を駆動する駆動スプロケット１２からの藁屑、特に団子状になった藁屑を外側下方に向けて排出する開放部２９が設けられている(図４参照)。
【００３３】
図５に示すチェンカバー２８は、駆動スプロケット１２の外側に対応する部位に外方へ膨出する膨出部３０を設け、その膨出部３０の下方が下向きに開放するように開放部２９が設けられる。また、膨出部３０の下面は、外側方下方に向けて傾斜する下り傾斜面３１とし、その下端部が開放された構成になっている。
【００３４】
なお、エンジン冷却ファンによる風を一部を脱穀フィードチェン１１の駆動スプロケット１２を通してチェンカバー２８の膨出部３０に向けて放出するようにすれば、脱穀フィードチェン１１によって運ばれる藁屑などを効率的に排出することができる。また、ラジエータカバー清掃用のエンジン冷却逆転ファンによる風を吸入しやすいように藁屑膨出形状とすることも可能である。
【００３５】
図６に示すように、先端に分草体３４を有する分草杆３５の下方に接地センサ３６が接地することによって刈高さを制御するコンバインにおいて、図７例では、接地センサ３６に穴を設け、センサユニット３７にナット３８を設けてボルト３９やビスなどで固定することにより、接地センサ３６をセンサユニット３７側に収納する。これによると、雑草が多く溝が切ってある麦刈作業などで、接地センサを収納し、雑草などの引っ掛かりをなくし、作業をスムースに行うことができる。
【００３６】
図８例では、接地センサ３６付きセンサユニット３７を仮想線の状態から実線の状態位置まで回動させて収納状態に締付固定する構成としている。
【００３７】
また、図９例では、接地センサ３６をセンサユニット３７側で分割し、ボルトなどで容易に着脱できるように構成し、雑草などが多い場合には、接地センサを取り外すこで、雑草などの引っ掛かりをなくし、作業をスムースに行うことができる。
【００３８】
なお、接地センサが収納状態のとき、センサの角度とその角度が一定時間以上継続していることを感知し、ＡＣＨスイッチをＯＮにすると、「ＡＣＨ接地センサが収納状態です」などとモニタに表示するとともに警告するようにしておくことで、ＡＣＨ（刈高さ制御）機能を使用しようとしたとき、ＡＣＨスイッチが収納されたままとなっていたために、作動しない不具合を防止することができる。
【００３９】
扱ぎ深さ自動調節機構を有する自脱型コンバインにおいて、短稈モードボタンを設けて、ＯＮ，ＯＦＦを可能にする。短稈モードＯＮの場合、扱ぎ深さの調整範囲のうち、一定以上浅扱ぎ側になり過ぎない範囲で扱ぎ深さを調整するようにしておくと、扱ぎ深さセンサのアクチュエータに藁や雑草が絡まって誤操作した場合でも浅扱ぎになり過ぎて引継ぎ部で詰ったり、搬送できずに落下させるといった不具合を防ぐことができる。また、稈長のばらつきに対して自動で調整し、労力を軽減することもできる。
【００４０】
また、扱ぎ深さ自動調節機構を有する自脱型コンバインにおいて、短稈モードダイヤルを設けてＯＮ，ＯＦＦ調節を可能にし、短稈モードＯＮの場合、扱ぎ深さの調整範囲のうち、ダイヤルの設定値に合わせて、浅扱ぎ側になり過ぎない範囲で扱ぎ深さを調整することもできる。
【００４１】
短稈モードダイヤルを設けてＯＮ，ＯＦＦ調節を可能にし、短稈モードＯＮの場合、扱ぎ深さの調整範囲のうち、ダイヤルの設定値に合わせて、浅扱ぎ側になり過ぎない範囲で扱ぎ深さを調整するものにおいて、短稈モードＯＮで刈取ポジションセンサにより刈取上げを検出し、ペダル部のスイッチセンサなどで掻き込みの操作を検出すると、扱ぎ深さを自動で最深扱ぎ側に調整する。これによれば、畦際などで刈り上げて掻き込む場合も、稈を刈取部から脱穀部への引継ぎに取りこぼすことを防止できる。
【００４２】
なお、短稈モードＯＮの場合、モニタに表示することで、短稈モードになっていることをオペレータに知らせて注意を促すことができ、短稈モードのまま標準の作物の刈取作業に入ることを防止できる。
【符号の説明】
【００４３】
４   脱穀部
１１   脱穀フィードチェン
１２  駆動スプロケット
２８  チェンカバー
２９  開放部
３０  膨出部
３１  下り傾斜面
【図１】
2017042107.tif 000003
【図２】
2017042107.tif 000004
【図３】
2017042107.tif 000005
【図４】
2017042107.tif 000006
【図５】
2017042107.tif 000007
【図６】
2017042107.tif 000008
【図７】
2017042107.tif 000009
【図８】
2017042107.tif 000010
【図９】
2017042107.tif 000011